(57)【要約】【課題】電柱間に位置する加入者宅へ光ドロップケーブルを引き込むのに有効な光ドロップケーブル敷設具を提供する。【解決手段】第２のケーブル把持具１１2の左側面板は第１のケーブル把持具１１1の左側面板よりも内側に位置するとともに、第２のケーブル把持具１１2の右側面板は第１のケーブル把持具１１1の右側面板よりも外側に位置するようにされている。圧縮コイルバネ１２は、一端が第２のケーブル把持具１１2の左側面板の内面に取り付けられているとともに他端が第１のケーブル把持具１１1の右側面板の内面に取り付けられており、第１および第２のケーブル把持具１１1，１１2に把持された光ドロップケーブル１に異常なテンションがかかると第１のケーブル把持具１１1に対して第２のケーブル把持具１１2をスライドさせて光ドロップケーブル１が切断されないようにする緩衝バネとして機能する。【選択図】図１
2010197687.tif 000002
【特許請求の範囲】
【請求項１】
電柱間に位置する加入者宅へ光ドロップケーブル（１）を引き込む際に使用するための光ドロップケーブル敷設具（１０；１０’；２０；３０；４０）であって、
２つの側面板を備えた第１のケーブル把持具（１１1；２１1；３１1；４１1）と、
２つの側面板を備えた、かつ、一方の側面板が前記第１のケーブル把持具の一方の側面板よりも内側に位置するとともに他方の側面板が該第１のケーブル把持具の他方の側面板よりも外側に位置するようにされた第２のケーブル把持具（１１2；２１2；３１2；４１2）と、
前記第１のケーブル把持具に取り付けられた、かつ、前記光ドロップケーブルを把持するための第１の把持手段（１３1L，１３1R；２３1L，２３1R；５０1；６０1；７０1）と、
前記第２のケーブル把持具に取り付けられた、かつ、前記光ドロップケーブルを把持するための第２の把持手段（１３2L，１３2R；２３2L，２３2R；５０2；６０2；７０2）と、
前記第１および第２のケーブル把持具に前記第１および第２の把持手段によって把持された前記光ドロップケーブルに異常なテンションがかかると該第１のケーブル把持具に対して該第２のケーブル把持具をスライドさせて該光ドロップケーブルが切断されないようにする緩衝バネとして機能するバネ（１２；２２1，２２2；３２；４２）と、
を具備することを特徴とする、光ドロップケーブル敷設具。
【請求項２】
前記バネが、前記第１のケーブル把持具の裏面板と前記第２のケーブル把持具の表面板との間の空間に取り付けられており、
前記第１の把持手段が、前記第１のケーブル把持具の前記裏面板の外面に取り付けられており、
前記第２の把持手段が、前記第２のケーブル把持具の前記表面板の外面に取り付けられており、
前記光ドロップケーブルが、前記第１の把持手段と前記第２の把持手段との間で少なくとも１周丸く巻かれている、
ことを特徴とする、請求項１記載の光ドロップケーブル敷設具。
【請求項３】
前記第２のケーブル把持具の開口面とされた裏面の上部および下部に、第１および第２の係合板（１１ａ1，１１ａ2；２１ａ1，２１ａ2；３１ａ1，３１ａ2；４１ａ1，４１ａ2）が該第２のケーブル把持具の前記一方の側面板と前記他方の側面板との間にそれぞれ形成されており、
前記第１のケーブル把持具の前記裏面板の内面の上部および下部に、前記第１および第２の係合板を該第１のケーブル把持具に対して前記第２のケーブル把持具がスライドする方向に沿って案内するための第１および第２のガイド溝（１１ｂ1，１１ｂ2；２１ｂ1，２１ｂ2；３１ｂ1，３１ｂ2；４１ｂ1，４１ｂ2）がそれぞれ設けられている、
ことを特徴とする、請求項２記載のドロップケーブル敷設具。
【請求項４】
前記第１のケーブル把持具（３１1）の前記裏面板の前記一方の側面板側に第１の延長部（３４1）が設けられており、
第２のケーブル把持具（３１2）の前記表面板の前記他方の側面板側に第２の延長部（３４2）が設けられており、
前記第１および第２の把持手段が前記第１および第２の延長部にもそれぞれ取り付けられている、
ことを特徴とする、請求項２または３記載の光ドロップケーブル敷設具。
【請求項５】
前記第２のケーブル把持具（４１2）の前記一方の側面板に形成されたネジ孔と螺合するネジ部を備えた、かつ、該ネジ部の先端が前記バネ（４２）の一端に取り付けられた調整ネジ（４５）をさらに具備することを特徴とする、請求項１乃至４いずれかに記載の光ドロップケーブル敷設具。
【請求項６】
前記バネが、一端が前記第２のケーブル把持具（１１2；３１2；４１2）の前記一方の側面板の内面に取り付けられるとともに他端が前記第１のケーブル把持具（１１1；３１1；４１1）の前記他方の側面板の内面に取り付けられた圧縮コイルバネ（１２；３２；４２）であることを特徴とする、請求項１乃至５いずれかに記載の光ドロップケーブル敷設具。
【請求項７】
前記バネが、一端が前記第１のケーブル把持具（２１1）の前記一方の側面板の内面に取り付けられるとともに他端が前記第２のケーブル把持具（２１2）の前記一方の側面板の外面に取り付けられた第１の引張コイルバネ（２２1）と、一端が前記第１のケーブル把持具（２１1）の前記他方の側面板の外面に取り付けられるとともに他端が前記第２のケーブル把持具（２１2）の前記他方の側面板の内面に取り付けられた第２の引張コイルバネ（２２2）とであることを特徴とする、請求項１乃至５いずれかに記載の光ドロップケーブル敷設具。
【請求項８】
前記光ドロップケーブルを巻く円の半径（Ｒ）が、前記第１のケーブル把持具に対して前記第２のケーブル把持具をスライドさせる最大長（Ｌmax）を“２（π＋１）”で割った値にされていることを特徴とする、請求項２乃至７いずれかに記載の光ドロップケーブル敷設具。
【請求項９】
前記第１のケーブル把持具（１１1）の前記一方の側面板の外面に取り付けられた環状ワイヤ（８１）をさらに具備することを特徴とする、請求項１乃至８いずれかに記載の光ドロップケーブル敷設具。
【発明の詳細な説明】
【技術分野】
【０００１】
本発明は、電柱間に位置する加入者宅へ光ドロップケーブルを引き込む際に使用するのに好適な光ドロップケーブル敷設具に関する。
【背景技術】
【０００２】
従来、幹線の光ファイバーケーブルから加入者宅へ光ドロップケーブル（引込ケーブル）を引き込む際の光ドロップケーブルの引留め（支持）は、広く定着している加入者固定電話引込線の支持工法と同様にして、たとえば、図１７（ａ）に示す分線金物１１０を電柱間に架設された吊線に固定し、図１７（ｂ）に示す鋼心入屋外引留具１２０を分線金物１１０に取り付けて、図１８に示すように光ドロップケーブル１から分離した支持線１ｃ（図４（ａ）参照）を鋼心入屋外引留具１２０に巻き付けることにより行われている（下記の特許文献１参照）。
また、加入者宅側においても、図１７（ｃ）に示すＣ型金物１３０（フック部材）を加入者宅の壁面などに固定し、鋼心入屋外引留具１２０をＣ型金物１３０に取り付けて、光ドロップケーブル１から分離した支持線１ｃを鋼心入屋外引留具１２０に巻き付けている。
【０００３】
なお、下記の特許文献２には、光ファイバ心線を外被で被覆した本体部とこの本体部に分離容易な首部で連結一体化された吊線部とを備えた光ケーブルであって、一方の光ケーブル端側で本体部と吊線部とを分離し、分離した本体部に光ファイバの許容曲げ径以上の径で巻回保持された複数の巻回ターンからなる巻回部分を設けて、分離した本体部を吊線部上に巻回保持することにより、通常の自己支持型光ケーブルと同等の作業で敷設ができ、かつ、余長処理のためのカール加工された巻回部分の取扱いや敷設時の処理が容易な光ケーブルが開示されている。
【０００４】
また、本出願人は、下記の特許文献３において、電柱間に敷設された吊線に光ドロップケーブル余長処理具を固定するための固定部と、固定部に連結棒を介して連結された第１のダンパー手段と、第１のダンパー手段と直列に設けられかつ第１のダンパー手段よりも小さな弾性率を有する第２のダンパー手段と、第２のダンパー手段と直列に取り付けられたケーブル支持部とを具備し、光ドロップケーブルが、固定部によって支持され、多数回巻き付けられて余長処理され、ケーブル支持部によって支持されたのち、加入者宅へ引き込まれるようにした光ドロップケーブル余長処理具を提案している。
【先行技術文献】
【特許文献】
【０００５】
【特許文献１】特開２００５−２６６２６１号公報
【特許文献２】特開２００８−２１６７８７号公報
【特許文献３】特開２００７−３３００１９号公報
【発明の概要】
【発明が解決しようとする課題】
【０００６】
しかしながら、上述した光ドロップケーブル引留め方法では、電柱間側および加入者宅側において光ドロップケーブル１から分離した支持線１ｃを鋼心入屋外引留具１２０に巻き付けることにより光ドロップケーブル１を引留めているため、光ドロップケーブル１に異常なテンションがかかった場合には、光ドロップケーブル１が切断されるばかりでなく、加入者宅側の引留具が外れて加入者宅の壁面などに損傷を与えることがあるという問題があった。
【０００７】
また、電柱間側において光ドロップケーブル１から分離した支持線１ｃを鋼心入屋外引留具１２０に巻き付けているため、光ドロップケーブル１の心線１ａと支持線１ｃとを分離したり、図１８に示すように支持線１ｃを鋼心入屋外引留具１２０の表と裏とに巻き付けたり、分離した心線１ａを保護するために心線１ａおよび支持線１ｃの両側を第１および第２のビニールテープ１４０1，１４０2でそれぞれ固定したのちに心線１ａおよび第１および第２のビニールテープ１４０1，１４０2にスパイラルスリーブ４を巻き付けたりする必要があり、作業性が悪いという問題があった。
【０００８】
なお、上記の特許文献２に開示された光ケーブルでは、本体部に巻回部分を設ける必要があり、既設の光ドロップケーブルには適用できないという問題がある。
また、上記の特許文献３で本出願人が提案した光ドロップケーブル余長処理具は、光ドロップケーブルの余長処理を行うことを前提としたものである。
【０００９】
本発明の目的は、電柱間に位置する加入者宅へ光ドロップケーブルを引き込むのに有効な光ドロップケーブル敷設具を提供することにある。
【課題を解決するための手段】
【００１０】
本発明の光ドロップケーブル敷設具は、電柱間に位置する加入者宅へ光ドロップケーブル（１）を引き込む際に使用するための光ドロップケーブル敷設具（１０；１０’；２０；３０；４０）であって、２つの側面板を備えた第１のケーブル把持具（１１1；２１1；３１1；４１1）と、２つの側面板を備えた、かつ、一方の側面板が前記第１のケーブル把持具の一方の側面板よりも内側に位置するとともに他方の側面板が該第１のケーブル把持具の他方の側面板よりも外側に位置するようにされた第２のケーブル把持具（１１2；２１2；３１2；４１2）と、前記第１のケーブル把持具に取り付けられた、かつ、前記光ドロップケーブルを把持するための第１の把持手段（１３1L，１３1R；２３1L，２３1R；５０1；６０1；７０1）と、前記第２のケーブル把持具に取り付けられた、かつ、前記光ドロップケーブルを把持するための第２の把持手段（１３2L，１３2R；２３2L，２３2R；５０2；６０1；７０2）と、前記第１および第２のケーブル把持具に前記第１および第２の把持手段によって把持された前記光ドロップケーブルに異常なテンションがかかると該第１のケーブル把持具に対して該第２のケーブル把持具をスライドさせて該光ドロップケーブルが切断されないようにする緩衝バネとして機能するバネ（１２；２２1，２２2；３２；４２）とを具備することを特徴とする。
ここで、前記バネが、前記第１のケーブル把持具の裏面板と前記第２のケーブル把持具の表面板との間の空間に取り付けられており、前記第１の把持手段が、前記第１のケーブル把持具の前記裏面板の外面に取り付けられており、前記第２の把持手段が、前記第２のケーブル把持具の前記表面板の外面に取り付けられており、前記光ドロップケーブルが、前記第１の把持手段と前記第２の把持手段との間で少なくとも１周丸く巻かれていてもよい。
前記第２のケーブル把持具の開口面とされた裏面の上部および下部に、第１および第２の係合板（１１ａ1，１１ａ2；２１ａ1，２１ａ2；３１ａ1，３１ａ2；４１ａ1，４１ａ2）が該第２のケーブル把持具の前記一方の側面板と前記他方の側面板との間にそれぞれ形成されており、前記第１のケーブル把持具の前記裏面板の内面の上部および下部に、前記第１および第２の係合板を該第１のケーブル把持具に対して前記第２のケーブル把持具がスライドする方向に沿って案内するための第１および第２のガイド溝（１１ｂ1，１１ｂ2；２１ｂ1，２１ｂ2；３１ｂ1，３１ｂ2；４１ｂ1，４１ｂ2）がそれぞれ設けられていてもよい。
前記第１のケーブル把持具（３１1）の前記裏面板の前記一方の側面板側に第１の延長部（３４1）が設けられており、第２のケーブル把持具（３１2）の前記表面板の前記他方の側面板側に第２の延長部（３４2）が設けられており、前記第１および第２の把持手段が前記第１および第２の延長部にもそれぞれ取り付けられていてもよい。
前記第２のケーブル把持具（４１2）の前記一方の側面板に形成されたネジ孔と螺合するネジ部を備えた、かつ、該ネジ部の先端が前記バネ（４２）の一端に取り付けられた調整ネジ（４５）をさらに具備してもよい。
前記バネが、一端が前記第２のケーブル把持具（１１2；３１2；４１2）の前記一方の側面板の内面に取り付けられるとともに他端が前記第１のケーブル把持具（１１1；３１1；４１1）の前記他方の側面板の内面に取り付けられた圧縮コイルバネ（１２；３２；４２）であってもよい。
前記バネが、一端が前記第１のケーブル把持具（２１1）の前記一方の側面板の内面に取り付けられるとともに他端が前記第２のケーブル把持具（２１2）の前記一方の側面板の外面に取り付けられた第１の引張コイルバネ（２２1）と、一端が前記第１のケーブル把持具（２１1）の前記他方の側面板の外面に取り付けられるとともに他端が前記第２のケーブル把持具（２１2）の前記他方の側面板の内面に取り付けられた第２の引張コイルバネ（２２2）とであってもよい。
前記光ドロップケーブルを巻く円の半径（Ｒ）が、前記第１のケーブル把持具に対して前記第２のケーブル把持具をスライドさせる最大長（Ｌmax）を“２（π＋１）”で割った値にされていてもよい。
前記第１のケーブル把持具（１１1）の前記一方の側面板の外面に取り付けられた環状ワイヤ（８１）をさらに具備してもよい。
【発明の効果】
【００１１】
本発明の光ドロップケーブル敷設具は、以下に示す効果を奏する。
（１）緩衝バネとして機能するバネを具備することにより、簡単な構造で異常なテンションによる光ドロップケーブルの切断を防止することができるので、電柱間に位置する加入者宅へ光ドロップケーブルを引き込むのに有効な光ドロップケーブル敷設具を提供することができる。
（２）第１および第２のケーブル把持具を具備することにより、バネに光ドロップケーブルが挟まれたり、バネに物がぶつかって曲がってバネの緩衝機能の低下を招いたり、作業時に作業員がバネに指を挟んだり、バネのスプリングの間にゴミなどが挟まったりすることを防止できる。
（３）第１のケーブル把持具の一方の側面板の外面に取り付けられた環状ワイヤを具備することにより、上述した従来の鋼心入屋外引留具１２０の代わりに用いることができるとともに、電柱間と加入者宅との間を光ドロップケーブルのままで施工することができるために作業性を大幅に向上させることができる。
【図面の簡単な説明】
【００１２】
【図１】本発明の第１の実施例による光ドロップケーブル敷設具１０の構成を示す図であり、（ａ）は（ｂ）のＢ−Ｂ断面図、（ｂ）は（ａ）のＡ−Ａ断面図、（ｃ）は第２のケーブル把持具１１2が右方向に引っ張られたときの光ドロップケーブル敷設具１０の状態を説明するための図である。
【図２】図１に示した第１のケーブル把持具１１1の構成を示す図であり、（ａ）は左側面図、（ｂ）は正面図、（ｃ）は右側面図、（ｄ）は背面図である。
【図３】図１に示した第２のケーブル把持具１１2の構成を示す図であり、（ａ）は左側面図、（ｂ）は正面図、（ｃ）は右側面図、（ｄ）は背面図である。
【図４】図１（ｂ）に示した第１の左側把持金具１３1Lの構成を示す図であり、（ａ）は光ドロップケーブル１を挿入する前の状態を示す図、（ｂ）は光ドロップケーブル１を挿入した後の状態を示す図、（ｃ）は光ドロップケーブル１を把持した状態を示す図である。
【図５】図１（ｂ）に示した第２の左側把持金具１３2Lの構成を示す図であり、（ａ）は光ドロップケーブル１を挿入する前の状態を示す図、（ｂ）は光ドロップケーブル１を挿入した後の状態を示す図、（ｃ）は光ドロップケーブル１を把持した状態を示す図である。
【図６】把持補強金具について説明するための図であり、（ａ）は第１の把持補強金具５０1の構成を示す縦断面図、（ｂ）は第１の把持補強金具６０1の構成を示す縦断面図、（ｃ）は第１の把持補強金具７０1の構成を示す側面図であり、（ｄ）は第２の把持補強金具７０2の構成を示す側面図である。
【図７】図１に示した光ドロップケーブル敷設具１０の使用方法について説明するための図である。
【図８】図１に示した光ドロップケーブル敷設具１０の使用方法について説明するための図である。
【図９】本発明の第２の実施例による光ドロップケーブル敷設具２０の構成を示す図であり、（ａ）は光（ｂ）のＢ−Ｂ断面図、（ｂ）は（ａ）のＡ−Ａ断面図、（ｃ）は第２のケーブル把持具２１2が右方向に引っ張られたときの光ドロップケーブル敷設具２０の状態を説明するための図である。
【図１０】本発明の第３の実施例による光ドロップケーブル敷設具３０の構成を示す断面図である。
【図１１】本発明の第４の実施例による光ドロップケーブル敷設具４０の構成を示す断面図である。
【図１２】本発明の第５の実施例による光ドロップケーブル敷設具１０’の構成を示す断面図である。
【図１３】図１２に示した光ドロップケーブル敷設具１０’の電柱間側における使用方法について説明するための図である。
【図１４】図１２に示した光ドロップケーブル敷設具１０’の加入者宅側における使用方法について説明するための図である。
【図１５】図１に示した光ドロップケーブル敷設具１０の組立方法の一例を説明するための図である。
【図１６】図１に示した光ドロップケーブル敷設具１０の組立方法の一例を説明するための図である。
【図１７】従来の光ドロップケーブルの引留め方法において使用される分線金物１１０、鋼心入屋外引留具１２０およびＣ型金物１３０を示す図である。
【図１８】従来の光ドロップケーブルの引留め方法における課題について説明するための図である。
【発明を実施するための形態】
【００１３】
上記の目的を、第２のケーブル把持具の左側面板が第１のケーブル把持具の左側面板よりも内側に位置するとともに第２のケーブル把持具の右側面板が第１のケーブル把持具の右側面板よりも外側に位置するようにし、光ドロップケーブルを把持するための第１および第２の把持金具を第１および第２のケーブル把持具にそれぞれ取り付けるとともに、緩衝バネとして機能するバネを設けることにより実現した。
【実施例１】
【００１４】
以下、本発明の光ドロップケーブル敷設具の実施例について図面を参照して説明する。
まず、本発明の第１の実施例による光ドロップケーブル敷設具について、図１乃至図８を参照して説明する。
本実施例による光ドロップケーブル敷設具１０は、図１（ａ），（ｂ）および図７（ａ），（ｃ）に示すように、第１および第２のケーブル把持具１１1，１１2と、圧縮コイルバネ１２と、第１の左側および右側把持金具１３1L，１３1Rと、第２の左側および右側把持金具１３2L，１３2Rと、第１および第２の把持補強金具５０1，５０2とを具備する。
なお、以下では、説明の簡単のために、図１（ａ）に示す第１および第２のケーブル把持具１１1，１１2の紙面表側の面、紙面裏側の面、紙面上側の面、紙面下側の面、紙面左側の面および紙面右側の面を第１および第２のケーブル把持具１１1，１１2の表面、裏面、上面、底面、左側面および右側面とする。
【００１５】
第１のケーブル把持具１１1は、図２（ａ）〜（ｄ）に示すように、表面が開口面とされた直方体の箱形状を有する。すなわち、第１のケーブル把持具１１1は、裏面板、上面板、底面板、左側面板および右側面板からなる。
【００１６】
第２のケーブル把持具１１2は、図３（ａ）〜（ｄ）に示すように、裏面が開口面とされた直方体の箱形状を有する。すなわち、第２のケーブル把持具１１2は、表面板、上面板、底面板、左側面板および右側面板からなる。
【００１７】
第２のケーブル把持具１１2の裏面（開口面）の上部および下部には、図３（ｄ）に示すように、第１および第２の係合板１１ａ1，１１ａ2が第２のケーブル把持具１１2の左側面板と右側面板との間に第２のケーブル把持具１１2の左側面板および右側面板と垂直にそれぞれ形成されている。
また、第２のケーブル把持具１１2の左側面板の幅（第２のケーブル把持具１１2の長手方向と垂直な方向に沿った長さ）は、第２のケーブル把持具１１2を第１のケーブル把持具１１1に対してスライドさせたときに第２のケーブル把持具１１2の左側面板が第１のケーブル把持具１１1の溝形成板（図１６（ｃ）参照）に当らないように、第１のケーブル把持具１１1の左側面板の幅よりも短くされている。
【００１８】
第１のケーブル把持具１１1の裏面板の内面の上部には、図１（ｃ）に破線で示すように第２のケーブル把持具１１2の第１の係合板１１ａ1を第１のケーブル把持具１１1の長手方向（圧縮コイルバネ１２のコイル中心軸に沿った方向）に沿って案内するための第１のガイド溝１１ｂ1が設けられている（図１（ｂ）参照）。
同様に、第１のケーブル把持具１１1の裏面板の内面の下部には、図１（ｃ）に破線で示すように第２のケーブル把持具１１2の第２の係合板１１ａ2を第１のケーブル把持具１１1の長手方向に沿って案内するための第２のガイド溝１１ｂ2が設けられている（図１（ｂ）参照）。
【００１９】
第１のケーブル把持具１１1の右側面板の上部および下部には、図１（ａ）に示すように第２のケーブル把持具１１2の右側面板が第１のケーブル把持具１１1の右側面板よりも外側に位置するようにするために、第２のケーブル把持具１１2の上面板および底面板がそれぞれ挿入される第１および第２の隙間１１ｃ1，１１ｃ2がそれぞれ設けられている（図２（ｃ）参照）。
また、第１のケーブル把持具１１1の右側面板の裏面板側の上部および下部は、第１のケーブル把持具１１1の裏面板と共に第１のガイド溝１１ｂ1を形成する（図２（ｃ）参照）。
【００２０】
第１の左側および右側把持金具１３1L，１３1Rは、図７（ａ）に示すように、第１のケーブル把持具１１1の裏面板の外面の左端部および中央部にそれぞれ取り付けられている。
第１の左側把持金具１３1Lは、図４（ａ）に示すように、第１のケーブル把持具１１1に取付用ネジなどを用いて取り付けられる第１の取付部１３ａ1と、光ドロップケーブル１の本体部（心線１ａおよびテンションメンバ１ｂが収容されている部分）を上下から挟んで把持するための第１の本体部把持部１３ｂ1と、光ドロップケーブル１の支持線部（支持線１ｃが収容されている部分）を上下から挟んで把持するための第１の支持線部把持部１３ｃ1とを備える。
ここで、第１の左側把持金具１３1Lの第１の取付部１３ａ1は、第１の本体部把持部１３ｂ1側に設けられている。
第１の右側把持金具１３1Rは、第１の左側把持金具１３1Lと同様に構成されている。
【００２１】
光ドロップケーブル１は、図４（ａ）に示すように第１の支持線部把持部１３ｃ1を開いた状態で光ドロップケーブル１の本体部から第１の左側把持金具１３1Lに挿入される。また、光ドロップケーブル１は、図４（ｂ）に示すように光ドロップケーブル１の本体部が第１の本体部把持部１３ｂ1で上下から挟まれて把持されたのち、図４（ｃ）に示すように第１の支持線部把持部１３ｃ1が工具または手でつぶされて光ドロップケーブル１の支持線部が第１の支持線部把持部１３ｃ1で上下から挟まれて把持されることにより、第１の左側把持金具１３1Lによって把持される。
光ドロップケーブル１は、同様にして第１の右側把持金具１３1Rによって把持される。
【００２２】
第２の左側および右側把持金具１３2L，１３2Rは、図７（ｃ）に示すように、第２のケーブル把持具１１2の表面板の外面の中央部および右端部にそれぞれ取り付けられている。
第２の左側把持金具１３2Lは、図５（ａ）に示すように、第２のケーブル把持具１１2に取付用ネジなどを用いて取り付けられる第２の取付部１３ａ2と、光ドロップケーブル１の本体部を上下から挟んで把持するための第２の本体部把持部１３ｂ2と、光ドロップケーブル１の支持線部を上下から挟んで把持するための第２の支持線部把持部１３ｃ2とを備える。
ここで、第２の左側把持金具１３2Lは、図１（ｂ）に示すように第１の左側把持金具１３1Lと逆向きに取り付けられるため、第２の左側把持金具１３2Lの第２の取付部１３ａ2は第２の支持線部把持部１３ｃ2側に設けられている。
第２の右側把持金具１３2Rは、第２の左側把持金具１３2Lと同様に構成されている。
【００２３】
光ドロップケーブル１は、図５（ａ）に示すように第２の本体部把持部１３ｂ2を開いた状態で光ドロップケーブル１の支持線部から第２の左側把持金具１３2Lに挿入され、図５（ｂ）に示すように光ドロップケーブル１の本体部全体が第２の本体部把持部１３ｂ2に挿入されるまで第２の左側把持金具１３2Lに押し込まれる。その後、光ドロップケーブル１は、図５（ｃ）に示すように光ドロップケーブル１の形状に合わせて第２の支持線部把持部１３ｃ2および第２の本体部把持部１３ｂ2が工具または手でつぶされて光ドロップケーブル１の本体部および支持線部が第２の本体部把持部１３ｂ2および第２の支持線部把持部１３ｃ2で上下から挟まれて把持されることにより、第２の左側把持金具１３2Lによって把持される。
光ドロップケーブル１は、同様にして第２の右側把持金具１３2Rによって把持される。
【００２４】
第１の把持補強金具５０1は、図６（ａ）に示すように、上面板および下面板の内面に先が平らな複数個の突起が第１の把持補強金具５０1の長手方向に沿って段違いで形成されたものである。
第１の把持補強金具５０1は、最近の光ドロップケーブルの低摩耗化を考慮すると、第１の左側および右側把持金具１３1L，１３1Rだけで光ドロップケーブル１を把持した場合には異常なテンションがかかったときに光ドロップケーブル１の外被を傷つけるおそれがあるため、光ドロップケーブル１の長手方向に沿って所定の長さだけ上下から光ドロップケーブル１を挟むことにより光ドロップケーブル１を把持するためのものであり、図７（ａ）に示すように第１のケーブル把持具１１1の裏面板の外面の第１の左側把持金具１３1Lと第１の右側把持金具１３1Rとの間に取り付けられている。
第２の把持補強金具５０2は、第１の把持補強金具５０1と同様に構成されており、図７（ｃ）に示すように第２のケーブル把持具１１2の表面板の外面の第２の左側把持金具１３2Lと第２の右側把持金具１３2Rとの間に取り付けられている。
【００２５】
なお、第１の把持補強金具５０1の代わりに、図６（ｂ）に示す第１の把持補強金具６０1のように、上面板および下面板の内面に先が尖った複数個の突起が第１の把持補強金具５０1の長手方向に沿って互いに対向して形成されたものを用いてもよい。
この場合には、第２の把持補強金具５０2の代わりに、第１の把持補強金具６０1と同様に構成された第２の把持補強金具６０2（不図示）を用いる。
【００２６】
また、第１の把持補強金具５０1の代わりに、図６（ｃ）に示す第１の把持補強金具７０1のように、第１の支持線部把持部７０ｃ1の先端を第１の締付ネジ７１1で締め付けることにより光ドロップケーブル１の本体部を第１の本体部把持部７０ｂ1で上下から挟むとともに光ドロップケーブル１の支持線部を第１の支持線部把持部７０ｃ1で上下から挟むことにより光ドロップケーブル１を把持するものを用いてもよい。ここで、第１のケーブル把持具１１1に取付用ネジなどを用いて取り付けられる第１の取付部７０ａ1は第１の本体部把持部７０ｂ1側に設けられている。また、第１の締付ネジ７１1は、第１の把持補強金具７０1の長手方向に沿って所定の間隔で複数個設けられている。
なお、この場合には、第２の把持補強金具５０2の代わりに、第１の把持補強金具５０1と同様の構成を有する図６（ｄ）に示す第２の把持補強金具７０2を用いることになるが、第２の把持補強金具７０2は第１の把持補強金具７０1と逆向きに第２のケーブル把持具１１2に取り付けられるため、第２の締付ネジ７１2は第２の本体部把持部７０ｂ2側に設けられているとともに第２の取付部７０ａ2は第２の支持線部把持部７０ｃ2側に設けられている。
【００２７】
また、このような第１および第２の把持補強金具５０1，５０2，６０1，６０2，７０1，７０2を使用せずに、複数個のワイヤクリップを第１のケーブル把持具１１1の裏面板の外面および第２のケーブル把持具１１2の表面板の外面に所定の間隔で取り付けて、複数個のワイヤクリップで光ドロップケーブル１をその長手方向に沿って把持するようにしてもよい。
【００２８】
圧縮コイルバネ１２は、図１（ａ）に示すように、第１のケーブル把持具１１1の裏面板と第２のケーブル把持具１１2の表面板との間の空間に取り付けられている。また、圧縮コイルバネ１２は、一端（左端）が第２のケーブル把持具１１2の左側面板の内面に取り付けられており、他端（右端）が第１のケーブル把持具１１1の右側面板の内面に取り付けられている。
これにより、たとえば図１（ｃ）に白抜き矢印で示すように第２のケーブル把持具１１2を右方向に引っ張ると、圧縮コイルバネ１２が縮んで第２のケーブル把持具１１2は第１のケーブル把持具１１1に対して右方向にスライドするので、第１および第２のケーブル把持具１１1，１１2に第１の左側および右側把持金具１３1L，１３1Rと第２の左側および右側把持金具１３2L，１３2Rと第１および第２の把持補強金具５０1，５０2とによって把持された光ドロップケーブル１に異常なテンションがかかっても光ドロップケーブル１が切断されないようにする緩衝バネとして圧縮コイルバネ１２を機能させることができる。
また、第１および第２の係合板１１ａ1，１１ａ2は第１および第２のガイド溝１１ｂ1，１１ｂ2に案内されて右方向にスライドするため、第２のケーブル把持具１１2がスライド中に第１のケーブル把持具１１1から外れることを防止することができるとともに、第１および第２の係合板１１ａ1，１１ａ2は第１および第２のガイド溝１１ｂ1，１１ｂ2にそれぞれ係合しているため、第１および第２のケーブル把持具１１1，１１2に第１および第２のケーブル把持具１１1，１１2の長手方向と垂直に外向きに異常なテンションがかかっても第２のケーブル把持具１１2が第１のケーブル把持具１１1から外れることを防止することができる。
【００２９】
次に、光ドロップケーブル敷設具１０の使用方法について、図７および図８を参照して説明する。
なお、以下の説明では、図７および図８の紙面左側を電柱間側とし、図７および図８の紙面右側を加入者宅側とする。
【００３０】
作業員は、図７（ａ）に示すように、光ドロップケーブル敷設具１０の第１のケーブル把持具１１1に取り付けられた第１の左側把持金具１３1L、第１の把持補強金具５０1および第１の右側把持金具１３1Rに、電柱間から加入者宅に引き込む光ドロップケーブル１を上述した手順（図４（ａ）〜（ｃ）および図６（ｃ）参照）で把持させる。
【００３１】
その後、作業員は、図７（ｂ）に示すように、光ドロップケーブル１の第１の右側把持金具１３1Rよりも加入者宅側の部分を第１のケーブル把持具１１1の裏面側で約１周丸く巻いたのち、光ドロップケーブル１を第１のケーブル把持具１１1の表面側に持っていく。
このとき、光ドロップケーブル１の余長処理を行う必要がない場合には、光ドロップケーブル１を巻く円の半径Ｒは、好ましくは、第１のケーブル把持具１１1に対して第２のケーブル把持具１１2をスライドさせる最大限の長さをＬmax（以下、「最大長Ｌmax」と称する。）としたときに次式を満足する値とする。
２πＲ＋２Ｒ＝Ｌmax
∴  Ｒ＝Ｌmax／｛２（π＋１）｝≒Ｌmax／８．４
【００３２】
その後、作業員は、図７（ｃ）に示すように、第２のケーブル把持具１１2に取り付けられた第２の左側把持金具１３2L、第２の把持補強金具５０2および第２の右側把持金具１３2Rに、第１のケーブル把持具１１1の表面側に持っていった光ドロップケーブル１を上述した手順（図５（ａ）〜（ｃ）および図６（ｄ）参照）で把持させる。このとき、第２の左側把持金具１３2L、第２の把持補強金具５０2および第２の右側把持金具１３2Rは第１の左側把持金具１３1L、第１の把持補強金具５０1および第１の右側把持金具１３1Rと逆向きに取り付けられているため（図１（ｂ）および図６（ｃ），（ｄ）参照）、第１のケーブル把持具１１1の表面側に持っていった光ドロップケーブル１をひねることなく第２の左側把持金具１３2L、第２の把持補強金具５０2および第２の右側把持金具１３2Rに把持させることができる。
【００３３】
これにより、たとえば強風で揺られて図８（ａ）に白抜き矢印で示すように左右方向に引っ張られて光ドロップケーブル１に異常なテンションがかかっても、圧縮コイルバネ１２が縮んで第２のケーブル把持具１１2が図８（ｂ），（ｃ）に示すように第１のケーブル把持具１１1に対して右方向にスライドしていくとともに、光ドロップケーブル１の円状に巻かれた部分の半径が小さくなっていくので、光ドロップケーブル１が切断されることを防止することができる。
【００３４】
また、風が止んで光ドロップケーブル１が左右方向に引っ張られなくなると、圧縮コイルバネ１２が伸びて第２のケーブル把持具１１2が第１のケーブル把持具１１1に対して左方向にスライドするとともに、光ドロップケーブル１の円状に巻かれた部分の半径が大きくなって元の半径Ｒに戻っていくため、光ドロップケーブル敷設具１０を元の状態（図８（ａ）に示す状態）に戻すことができる。
【実施例２】
【００３５】
次に、本発明の第２の実施例による光ドロップケーブル敷設具について、図９を参照して説明する。
本実施例による光ドロップケーブル敷設具２０は、図９（ａ），（ｂ）に示すように、以下に示す点で、上述した第１の実施例による光ドロップケーブル敷設具１０と異なる。
【００３６】
（１）図１（ａ）に示した圧縮コイルバネ１２の代わりに、第１のケーブル把持具２１1の左側面板の内面に一端（左端）が取り付けられるとともに第２のケーブル把持具２１2の左側面板の外面に他端（右端）が取り付けられた第１の引張コイルバネ２２1と、第１のケーブル把持具２１1の右側面板の外面に一端（左端）が取り付けられるとともに第２のケーブル把持具２１2の右側面板の内面に他端（右端）が取り付けられた第２の引張コイルバネ２２2とを具備する。
これにより、たとえば図９（ｃ）に白抜き矢印で示すように第２のケーブル把持具２１2を右方向に引っ張ると、第１および第２の引張コイルバネ２２1，２２2が伸びて第２のケーブル把持具２１2は第１のケーブル把持具２１1に対して右方向にスライドするので、上述した緩衝バネとして第１および第２の引張コイルバネ２２1，２２2を機能させることができる。
【００３７】
（２）図１（ａ）に示した第１および第２のガイド溝１１ｂ1，１１ｂ2が第１のケーブル把持具２１1に設けられていないとともに、第１および第２の係合板１１ａ1，１１ａ2が第２のケーブル把持具２１2に設けられていない。
ただし、上述した第１の実施例による光ドロップケーブル敷設具１０と同様に、第１および第２のガイド溝２１ｂ1，２１ｂ2（不図示）を第１のケーブル把持具２１1の裏面板の内面の上部および下部にそれぞれ設けるとともに、第１および第２の係合板２１ａ1，２１ａ2（不図示）を第２のケーブル把持具２１2の左側面板と右側面板との間に第２のケーブル把持具２１2の左側面板および右側面板と垂直にそれぞれ形成してもよい。
【００３８】
本実施例による光ドロップケーブル敷設具２０の使用方法は、上述した第１の実施例による光ドロップケーブル敷設具１０と同様であるので、詳しい説明は省略する。
【実施例３】
【００３９】
次に、本発明の第３の実施例による光ドロップケーブル敷設具について、図１０を参照して説明する。
本実施例による光ドロップケーブル敷設具３０は、図１０に示すように、第１および第２のケーブル把持具３１1，３１2の長手方向の寸法と圧縮コイルバネ３２の長さとを短くするために、第１のケーブル把持具３１1の裏面板の左側面板側に第１の延長部３４1が設けられているとともに第２のケーブル把持具３１2の表面板の右側面板側に第２の延長部３４2が設けられている点で、上述した第１の実施例による光ドロップケーブル敷設具１０と異なる。
【００４０】
本実施例による光ドロップケーブル敷設具３０では、第１の左側把持金具、第１の把持補強金具および第１の右側把持金具（いずれも不図示）は第１のケーブル把持具３１1および第１の延長部３４1に取り付けられ、第２の左側把持金具、第２の把持補強金具および第２の右側把持金具（いずれも不図示）は第２のケーブル把持具３１2および第２の延長部３４2に取り付けられる。
【００４１】
なお、図９に示した第２の実施例による光ドロップケーブル敷設具２０においても、第１および第２のケーブル把持具２１1，２１2の長手方向の寸法と第１および第２の引張コイルバネ２２1，２２2の長さとを短くするために、第１のケーブル把持具２１1の裏面板の左側面板側に第１の延長部を設けるとともに第２のケーブル把持具２１2の表面板の右側面板側に第２の延長部を設けてもよい。
【００４２】
本実施例による光ドロップケーブル敷設具３０の使用方法は、上述した第１の実施例による光ドロップケーブル敷設具１０と同様であるので、詳しい説明は省略する。
【実施例４】
【００４３】
次に、本発明の第４の実施例による光ドロップケーブル敷設具について、図１１を参照して説明する。
本実施例による光ドロップケーブル敷設具４０は、図１１に示すように、光ドロップケーブル１の引込み後における圧縮コイルバネ４２のトルクを調整するための調整ネジ４５をさらに具備する点で、上述した第１の実施例による光ドロップケーブル敷設具１０と異なる。
【００４４】
ここで、調整ネジ４５は、第２のケーブル把持具４１2の左側面板の中央部に形成されたネジ孔と螺合するネジ部を備える。
調整ネジ４５のネジ部の先端は、圧縮コイルバネ４２の第２のケーブル把持具４１2の左側面板側の一端に取り付けられている。
第１のケーブル把持具４１1の左側面板の中央部には、ドライバを挿入して調整ネジ４５を回すための貫通孔が形成されている。
【００４５】
本実施例による光ドロップケーブル敷設具４０の使用方法は、光ドロップケーブル１の引込み後に作業員が調整ネジ４５によって圧縮コイルバネ４２のトルクを調整すること以外は上述した第１の実施例による光ドロップケーブル敷設具１０と同様であるので、詳しい説明は省略する。
【実施例５】
【００４６】
次に、本発明の第５の実施例による光ドロップケーブル敷設具について、図１２乃至図１４を参照して説明する。
本実施例による光ドロップケーブル敷設具１０’は、図１７（ｂ）に示した鋼心入屋外引留具１２０の代わりに使用するものであり、図１２に示すように第１のケーブル把持具１１1の左側面板の外面に取り付けられた環状ワイヤ８１をさらに具備する点で、上述した第１の実施例による光ドロップケーブル敷設具１０と異なる。
【００４７】
次に、光ドロップケーブル敷設具１０’の電柱間側における使用方法について、図１３を参照して説明する。
作業員は、電柱間に架設された吊線１０１に分線金物１１０を固定したのち、光ドロップケーブル敷設具１０’の環状ワイヤ８１を分線金物１１０のフックに掛けることにより、光ドロップケーブル敷設具１０’を分線金物１１０に取り付ける。
【００４８】
その後、作業員は、光ドロップケーブル敷設具１０’の第１のケーブル把持具１１1に取り付けられた第１の左側把持金具１３1L、第１の把持補強金具５０1および第１の右側把持金具１３1Rに光ドロップケーブル１を上述した手順（図４（ａ）〜（ｃ）および図６（ｃ）参照）で把持させたのち、光ドロップケーブル１の第１の右側把持金具１３1Rよりも加入者宅側の部分を第１のケーブル把持具１１1の裏面側で約１周丸く巻いたのち、光ドロップケーブル１を第１のケーブル把持具１１1の表面側に持っていく。
【００４９】
その後、作業員は、第２のケーブル把持具１１2に取り付けられた第２の左側把持金具１３2L、第２の把持補強金具５０2および第２の右側把持金具１３2Rに、第１のケーブル把持具１１1の表面側に持っていった光ドロップケーブル１を上述した手順（図５（ａ）〜（ｃ）および図６（ｄ）参照）で把持させる。
【００５０】
これにより、作業員は、光ドロップケーブル１の心線１ａと支持線１ｃとを分離したり、図１８に示したように支持線１ｃを鋼心入屋外引留具１２０の表と裏とに巻き付けたり、分離した心線１ａを保護するために心線１ａおよび支持線１ｃの両側を第１および第２のビニールテープ１４０1，１４０2でそれぞれ固定したのちに心線１ａおよび第１および第２のビニールテープ１４０1，１４０2にスパイラルスリーブ４を巻き付けたりする必要がなくなるため、容易に作業を行うことができる。
また、たとえば強風で揺られて光ドロップケーブル１に異常なテンションがかかっても、圧縮コイルバネ１２が縮んで第２のケーブル把持具１１2が線路方向にスライドしていくとともに、光ドロップケーブル１の円状に巻かれた部分の半径が小さくなっていくので、光ドロップケーブル１が切断されることを防止することができる。
【００５１】
次に、光ドロップケーブル敷設具１０’の加入者宅側における使用方法について、図１４を参照して説明する。
なお、図１４では、加入者宅が紙面右側に位置するため、光ドロップケーブル敷設具１０’の左右が図１３と逆になっている。
また、加入者宅側では、光ドロップケーブル１は光ドロップケーブル敷設具１０’の第２のケーブル把持具１１2に把持されたのちに第１のケーブル把持具１１1に把持されることになる。
【００５２】
作業員は、加入者宅の壁面にＣ型金物１３０を固定したのち、光ドロップケーブル敷設具１０’の環状ワイヤ８１をＣ型金物１３０のフックに掛けることにより、光ドロップケーブル敷設具１０’をＣ型金物１３０に取り付ける。また、作業員は、光ドロップケーブル１の加入者宅に入線する部分の支持線部を切断する。
【００５３】
その後、作業員は、光ドロップケーブル敷設具１０’の第２のケーブル把持具１１2に取り付けられた第２の右側把持金具１３2R、第２の把持補強金具５０2および第２の左側把持金具１３2Lに光ドロップケーブル１を上述した手順（図５（ａ）〜（ｃ）および図６（ｄ）参照）で把持させたのち、光ドロップケーブル１の第２の左側把持金具１３2Lよりも加入者宅側の部分を第２のケーブル把持具１１2の表面側で約１周丸く巻いたのち、光ドロップケーブル１を第２のケーブル把持具１１2の裏面側に持っていく。
【００５４】
その後、作業員は、第１のケーブル把持具１１1に取り付けられた第１の右側把持金具１３1R、第１の把持補強金具５０1および第１の左側把持金具１３1Lに、第２のケーブル把持具１１2の裏面側に持っていった光ドロップケーブル１を上述した手順（図４（ａ）〜（ｃ）および図６（ｃ）参照）で把持させる。
【００５５】
これにより、作業員は、光ドロップケーブル１の支持線部を切断する必要はあるが、図１８に示したように支持線１ｃを鋼心入屋外引留具１２０の表と裏とに巻き付けたり、分離した心線１ａを保護するために心線１ａおよび支持線１ｃの両側を第１および第２のビニールテープ１４０1，１４０2でそれぞれ固定したのちに心線１ａおよび第１および第２のビニールテープ１４０1，１４０2にスパイラルスリーブ４を巻き付けたりする必要がなくなるため、容易に作業を行うことができる。
また、たとえば強風で揺られて光ドロップケーブル１に異常なテンションがかかっても、圧縮コイルバネ１２が縮んで第２のケーブル把持具１１2が線路方向にスライドしていくとともに、光ドロップケーブル１の円状に巻かれた部分の半径が小さくなっていくので、光ドロップケーブル１が切断されることを防止することができる。
【００５６】
次に、本発明による光ドロップケーブル敷設具の組立方法の一例について、図１に示した光ドロップケーブル敷設具１０の組立方法を例として、図１５および図１６を参照して説明する。
光ドロップケーブル敷設具１０の組立前には、第１のケーブル把持具１１1は、図１５（ａ−１）および（ａ−２）に示す裏面板、上面板、底面板および左側面板からなる本体部から、同図（ｂ−１）および（ｂ−２）に示す溝形成板と同図（ｃ−１）および（ｃ−２）に示す右側面板とが外されている。ここで、溝形成板は、裏面板と共に第１および第２のガイド溝１１ａ1，１１ａ2を形成するために、横断面形状が凸状にされている（同図（ｃ−２）参照）。
また、第２のケーブル把持具１１2は、表面板、上面板、底面板および左側面板からなる本体部から右側面板が外されている。
【００５７】
光ドロップケーブル敷設具１０を組み立てる際には、第２のケーブル把持具１１2の本体部をその裏面板側から図１６（ａ）に白抜き矢印で示す方向に押して第１のケーブル把持具１１1の本体部に挿入する。
同図（ｂ）に示すように第２のケーブル把持具１１2の第１および第２の係合板１１ａ1，１１ａ2が第１のケーブル把持具１１1の裏面板に達するまで第２のケーブル把持具１１2の本体部を第１のケーブル把持具１１1の本体部に挿入すると、同図（ｃ）に示すように溝形成板を図示手前側から挿入したのちに、溝形成板を第１のケーブル把持具１１1の裏面板に固定する。
続いて、同図（ｄ）に示すように圧縮コイルバネ１２を図示手前側から挿入したのちに、圧縮コイルバネ１２の一端を第２のケーブル把持具１１2の左側面板に固定する。
続いて、同図（ｅ）に示すように第１のケーブル把持具１１1の右側面板を白抜き矢印で示す方向に挿入したのち、第１のケーブル把持具１１1の右側面板を第１のケーブル把持具１１1の本体部に固定する。
続いて、同図（ｆ）に示すように第２のケーブル把持具１１2の右側面板を白抜き矢印で示す方向に挿入したのち、第２のケーブル把持具１１2の右側面板を第２のケーブル把持具１１2の本体部に固定する。
【００５８】
なお、上述した光ドロップケーブル敷設具１０の組立方法では、組立前に第１のケーブル把持具１１1の溝形成板および右側面板を本体部から外し第２のケーブル把持具１１2の右側面板を本体部から外すとともに圧縮コイルバネ１２を外しておいたが、このようなことをしなくても光ドロップケーブル敷設具１０を組み立てることができるようにするために、第１および第２の係合板１１ａ1，１１ａ2の第２のケーブル把持具１１2の左側面板側の部分（好ましくは、１／４以下）をなくしてもよい。
この場合には、圧縮コイルバネ１２を縮めて第２のケーブル把持具１１2の左側面板と第１のケーブル把持具１１1の右側面板とを近付けた状態で第１のケーブル把持具１１1の開口面から第２のケーブル把持具１１2を挿入すれば、挿入後は圧縮コイルバネ１２の伸張力によって第２のケーブル把持具１１2は第１のケーブル把持具１１1に対して図１（ｃ）の白抜き矢印と反対方向にスライドしていくので、光ドロップケーブル敷設具１０を組み立てることができる。
なお、このようにして光ドロップケーブル敷設具１０を組み立てた場合には、第２のケーブル把持具１１2が第１のケーブル把持具１１1に対して図１（ｃ）の白抜き矢印の方向に一杯までスライドすると、第１および第２のケーブル把持具１１1，１１2に第１および第２のケーブル把持具１１1，１１2の長手方向と垂直に外向きに異常なテンションがかかったときに第２のケーブル把持具１１2が第１のケーブル把持具１１1から外れるおそれがあるため、第２のケーブル把持具１１2が第１のケーブル把持具１１1に対して図１（ｃ）の白抜き矢印の方向に一杯までスライドしないようにするためのストッパとして機能するネジを第２のケーブル把持具１１2の表面板などに取り付けてもよい。
【００５９】
以上の説明では、図７（ｂ）、図１３および図１４に示したように光ドロップケーブル１を１周だけ巻いたが、光ドロップケーブル１を巻く回数は２回以上であってもよい。
【符号の説明】
【００６０】
１  光ドロップケーブル
１ａ  心線
１ｂ  テンションメンバ
１ｃ  支持線
４  スパイラルスリーブ
１０，１０’，２０，３０，４０  光ドロップケーブル敷設具
１１1，１１2，２１1，２１2，３１1，３１2，４１1，４１2  第１および第２のケーブル把持具
１１ａ1，１１ａ2，２１ａ1，２１ａ2，３１ａ1，３１ａ2，４１ａ1，４１ａ2  第１および第２の係合板
１１ｂ1，１１ｂ2，２１ｂ1，２１ｂ2，３１ｂ1，３１ｂ2，４１ｂ1，４１ｂ2  第１および第２のガイド溝
１１ｃ1，１１ｃ2  第１および第２の隙間
１２，３２，４２  圧縮コイルバネ
１３1L，１３1R，２３1L，２３1R  第１の左側および右側把持金具
１３2L，１３2R，２３2L，２３2R，３３2L，３３2R  第２の左側および右側把持金具
１３ａ1，１３ａ2，７０ａ1，７０ａ2  第１および第２の取付部
１３ｂ1，１３ｂ2，７０ｂ1，７０ｂ2  第１および第２の本体部把持部
１３ｃ1，１３ｃ2，７０ｃ1，７０ｃ2  第１および第２の支持線部把持部
２２1，２２2  第１および第２の引張コイルバネ
３４1，３４2  第１および第２の延長部
４５  調整ネジ
５０1，６０1，７０1  第１の把持補強金具
５０2，６０2，７０2  第２の把持補強金具
７１1，７１2  第１および第２の締付ネジ
８１  環状ワイヤ
１０１  吊線
１１０  分線金物
１２０  鋼心入屋外引留具
１３０  Ｃ型金物
１４０1，１４０2  第１および第２のビニールテープ
Ｒ  半径
Ｌmax  最大長
【図１】
2010197687.tif 000003
【図２】
2010197687.tif 000004
【図３】
2010197687.tif 000005
【図４】
2010197687.tif 000006
【図５】
2010197687.tif 000007
【図６】
2010197687.tif 000008
【図７】
2010197687.tif 000009
【図８】
2010197687.tif 000010
【図９】
2010197687.tif 000011
【図１０】
2010197687.tif 000012
【図１１】
2010197687.tif 000013
【図１２】
2010197687.tif 000014
【図１３】
2010197687.tif 000015
【図１４】
2010197687.tif 000016
【図１５】
2010197687.tif 000017
【図１６】
2010197687.tif 000018
【図１７】
2010197687.tif 000019
【図１８】
2010197687.tif 000020